(57)【特許請求の範囲】
【請求項１】
商品陳列用の棚を架設した陳列室が、本体前面において透明板によって画成されるショーケースであって、
ＬＥＤ光源を有し、当該ＬＥＤ光源の配光角度を絞ることによって配光中心付近の光度が強められた照明モジュールを備え、
前記照明モジュールは、前記透明板と前記棚の前端に並ぶ商品列との間の空間を挟んで対向配置されると共に、配光中心が、対向する照明モジュールに向かう方向又は対向する照明モジュールに向かう方向に比べて前記棚の前端に並ぶ商品のうち遠い位置の商品に対する直接光の光度を増やすように前記棚側に僅かに傾いた方向に設定されて前記透明板及び前記棚の前端に並ぶ商品に光を照射し、前記棚に陳列した商品を直接光及び前記透明板からの反射光で照明する、
ショーケース。
【請求項２】
前記配光中心が、対向する照明モジュールに向かう方向から前記棚の前端に並ぶ商品のうち最も遠い位置の商品に向かう方向までの間に設定されている、請求項１に記載のショーケース。
【請求項３】
前記本体前面が、前記透明板を備えた扉によって開閉自在に閉塞され、前記扉で開閉される本体前面の左端部及び右端部のそれぞれに、前記照明モジュールが配置されている、請求項１又は２記載のショーケース。
【請求項４】
前記本体前面が、前記透明板を備えた扉によって開閉自在に閉塞され、前記扉で開閉される本体前面の上端部及び下端部のそれぞれに、前記照明モジュールが配置されている、請求項１〜３のいずれか一つに記載のショーケース。
【請求項５】
前記照明モジュールは、棒状に形成され、
前記本体前面の開口部を構成する左右の支柱フレームそれぞれに長手方向に沿って設けた凹部又は溝に、前記照明モジュールが挿置されている、請求項３記載のショーケース。
【請求項６】
本体を構成する４本の支柱フレームが、本体の２面を開閉不能に画成する２枚の板を嵌め込むための２本の溝を備えた共通の成型部品からなり、本体前面の開口部を構成する左右の支柱フレームの板を嵌め込まない溝に、前記照明モジュールが挿置されている、請求項５記載のショーケース。
【請求項７】
前記扉を閉じた状態で、前記扉を構成する左右のフレームが、前記照明モジュールの先端よりも前記開口部の中央側に張り出し、前記照明モジュールが、前記扉を構成する左右のフレームの裏側に配置される請求項５又は６に記載のショーケース。
【請求項８】
前記照明モジュールにおいて、前記ＬＥＤ光源の最大光度の１／２の範囲の配光角度が略５０度に絞られている、請求項１〜７のいずれか一つに記載のショーケース。
【請求項９】
商品陳列用の棚を架設した陳列室が、本体前面において透明板によって画成されるショーケースに用いられ、ＬＥＤ光源を有し、当該ＬＥＤ光源の配光角度を絞ることによって配光中心付近の光度が強められた照明モジュールであって、
前記透明板と前記棚の前端に並ぶ商品列との間の空間を挟んで対向配置されると共に、配光中心が、対向する照明モジュールに向かう方向又は対向する照明モジュールに向かう方向に比べて前記棚の前端に並ぶ商品のうち遠い位置の商品に対する直接光の光度を増やすように前記棚側に僅かに傾いた方向に設定されて前記透明板及び前記棚の前端に並ぶ商品に光を照射し、前記棚に陳列した商品を直接光及び前記透明板からの反射光で照明する、照明モジュール。
【請求項１０】
前記配光中心は、対向する照明モジュールに向かう方向から前記棚の前端に並ぶ商品のうち最も遠い位置の商品に向かう方向までの間に設定されている、請求項９に記載の照明モジュール。
【発明の詳細な説明】
【技術分野】
【０００１】
本発明は、商品陳列用の棚が架設された陳列室が、本体前面において透明板によって画成されるショーケースに関し、詳しくは、前記棚に陳列した商品を照明する技術に関する。
【背景技術】
【０００２】
従来、ショーケースとして、本体に構成された陳列室内に商品陳列用の棚を架設すると共に、前記陳列室の前面開口を透視可能な扉にて開閉自在に閉塞し、前記開口縁内側の本体に、ＬＥＤ素子からなる照明モジュールを取り付けたショーケースがあった（特許文献１参照）。
【先行技術文献】
【特許文献】
【０００３】
【特許文献１】特開２００９−１１２３５１号公報
【発明の概要】
【発明が解決しようとする課題】
【０００４】
上記のように、照明モジュールとしてＬＥＤ素子を用いれば、照明モジュールがスリム化し、陳列商品と照明モジュールとが重なることによる商品の視認性の低下、及び、商品の出し入れの際における照明モジュールと商品との接触を抑制することができる。
しかし、従来のショーケースでは、ＬＥＤ素子による照明光の照射方向をシェードによって棚側に向けてあり、棚に陳列した商品を直接光で照明していた。
【０００５】
このため、棚の前端に例えばペットボトルなどの商品を並べて陳列した場合に、照明モジュールに近い商品は明るく照明できるが、照明モジュールから離れるほど暗くなるため、商品の照度（輝度）バラツキが大きく、また、照明モジュールから比較的近い商品でも照明モジュールからの直接光が当たらない陰の部分が暗くなるため、平均照度が高くても全体的に暗い印象を顧客に与えてしまうという問題があった。
【０００６】
そこで、本発明は、棚に並べた商品の照度（輝度）ばらつき及び商品間の陰影を軽減できるショーケースを提供することを目的とする。
【課題を解決するための手段】
【０００７】
上記目的を達成するために、本発明に係るショーケースは、商品陳列用の棚を架設した陳列室が、本体前面において透明板によって画成されるショーケースであって、ＬＥＤ光源を有し、当該ＬＥＤ光源の配光角度を絞ることによって配光中心付近の光度が強められた照明モジュールを備え、前記照明モジュールは、前記透明板と前記棚の前端に並ぶ商品列との間の空間を挟んで対向配置されると共に、配光中心が、対向する照明モジュールに向かう方向又は対向する照明モジュールに向かう方向に比べて前記棚の前端に並ぶ商品のうち遠い位置の商品に対する直接光の光度を増やすように前記棚側に僅かに傾いた方向に設定されて前記透明板及び前記棚の前端に並ぶ商品に光を照射し、前記棚に陳列した商品を直接光及び前記透明板からの反射光で照明する。
このような構成では、棚に陳列した商品が、照明モジュールからの直接光及び透明板からの反射光を用いて照明されるので、直接光が照射されない商品部分に対して透明板からの反射光を照射することが可能となる。
【００１０】
ここで、前記配光中心を、対向する照明モジュールに向かう方向から前記棚側の前端に並ぶ商品のうち最も遠い位置の商品に向かう方向までの間に設定することができる。
このような構成では、光軸中心付近の大きな光度の光を、遠い側の商品に向けて照射し、また、光軸中心付近の大きな光度の光を、透明板のＬＥＤから遠い側に向けて照射して反射させることができ、ＬＥＤから遠い位置の商品の照度を増加させることが可能となる。
【００１１】
また、前記本体前面が、前記透明板を備えた扉によって開閉自在に閉塞され、前記扉で開閉される本体前面の左端部及び右端部のそれぞれに、及び／又は、本体前面の上端部及び下端部のそれぞれに、前記照明モジュールを配置することができる。
このような構成では、本体前面が透明板を備えた扉によって開閉自在に閉塞され、扉の開閉を行って商品の取り出しを行うショーケースにおいて、扉を閉じた状態では、照明モジュールが、棚に陳列した商品を直接光及び透明板からの反射光で照明する。
【００１２】
また、前記照明モジュールが棒状に形成され、前記本体前面の開口部を構成する左右の支柱フレームそれぞれに長手方向に沿って設けた凹部又は溝に、前記照明モジュールを挿置することができる。
このような構成では、支柱フレームからの照明モジュールの出っ張りを小さくでき、商品の視認性の低下及び照明モジュールに商品が接触することを抑制することができる。
【００１４】
また、本体を構成する４本の支柱フレームが、本体の２面を開閉不能に画成する２枚の板を嵌め込むための２本の溝を備えた共通の成型部品からなり、本体前面の開口部を構成する左右の支柱フレームの板を嵌め込まない溝に、前記照明モジュールを挿置することができる。
このような構成では、４本の支柱フレームを共通の成型部品とすることで、ショーケースを構成する成型部品の種類を削減でき、かつ、照明モジュールを、板を嵌め込むための溝に挿置することで、支柱フレームへの照明モジュールの配置を簡易に行え、かつ、支柱フレームからの照明モジュールの出っ張りを小さくできる。
【００１５】
また、前記扉を閉じた状態で、前記扉を構成する左右のフレームが、前記照明モジュールの先端よりも前記開口部の中央側に張り出し、前記照明モジュールが、前記扉を構成する左右のフレームの裏側に配置されるようにできる。
このような構成では、扉を閉じた状態で、扉を構成する左右のフレームの裏側に照明モジュールが隠れ、本体の前面側から照明モジュールが直接見えないようにする。
【００１６】
ここで、前記照明モジュールにおいて、前記ＬＥＤ光源の最大光度の１／２の範囲の配光角度が略５０度に絞られているのが好ましい。
このような構成では、最大光度の１／２の範囲の配光角度（１／２ビーム角）を略５０度に絞ることで、照明モジュールから遠い位置の商品及び透明板への光の照射量と、照明モジュールに近い位置の商品及び透明板への光の照射量との割合が適切となる。
【発明の効果】
【００１７】
本発明に係るショーケース及び照明モジュールによれば、棚に陳列した商品を直接光及び本体前面を画成する透明板からの反射光で照明するので、棚に並べた商品の照度（輝度）ばらつき及び商品間の陰影を軽減できる。
【図面の簡単な説明】
【００１８】
【図１】本発明の実施形態のショーケースを示す正面図である。
【図２】本発明の実施形態のショーケースの断面図である。
【図３】本発明の実施形態のショーケースの部分拡大断面図である。
【図４】本発明の実施形態のショーケースにおいて扉を開いた状態を示す斜視図である。
【図５】本発明の実施形態のショーケースに用いる支柱フレームの基本構成を示す断面図である。
【図６】本発明の実施形態のショーケースに用いる支柱フレームに後加工を施して照明モジュールを設置した状態を示す断面図である。
【図７】本発明の実施形態のショーケースに用いる照明モジュールの断面図である。
【図８】本発明の実施形態のショーケースに用いる扉と照明モジュールとの位置関係を説明するための図であり、（Ａ）は扉を開いた状態、（Ｂ）は扉を閉じた状態を示す正面図である。
【図９】本発明の実施形態のショーケースに用いる照明モジュールによる直接光及び反射光を示す図である。
【図１０】照明モジュールによる直接光のみで商品の照明を行うショーケースにおける理想の配光特性を示す図である。
【図１１】照明モジュールによる直接光のみで商品の照明を行うショーケースにおける陰の発生状態を示す図である。
【図１２】本発明の実施形態のショーケースにおける反射光の特性を示す図である。
【図１３】本発明の実施形態のショーケースにおける直接光及び反射光による照明の特性を示す図である。
【発明を実施するための形態】
【００１９】
以下、本発明の実施形態を添付図面に基づいて詳細に説明する。
図１は、本実施形態におけるショーケース１の正面図であり、この図１に示すショーケース１は、例えばスーパーマーケットやコンビニエンスストアなどに設置される冷凍或いは冷蔵用のタテ型低温ショーケースである。
尚、本実施形態では低温ショーケースとしたが、保温ショーケース、或いは、保温・冷蔵ショーケースであってもよい。
【００２０】
ショーケース１は、内部に陳列室２が画成される箱体３と、箱体３の底面に取り付けた台脚アングル４とからなる。
陳列室２は、前面（展示側、顧客側、売り場側）に開口し、陳列室２の前面開口は、内部を透視可能な透明板であるガラス板５を備えた扉６により開閉自在に閉塞される。扉６は、一側端が箱体３の側部に回転自在に枢支された開き扉である。
【００２１】
陳列室２の両側面及び背面は、内部を透視可能な透明板であるガラス板で画成・閉塞され、陳列室２は４方をガラス板で囲まれる。但し、陳列室２の両側面と背面との少なくとも一方を、内部を透視不能な断熱パネルで画成するショーケースであってもよい。
尚、陳列室２を画成するガラス板（扉６のガラス板を含む）を、中空層を備えた２重ガラスとし、更に、ガラス面に透明断熱フィルムを張ったり、透明な断熱塗料を塗布したりすることで、断熱性を高めることが好ましい。
【００２２】
また、陳列室２には、ペットボトルなどの商品７を載置するための複数段の棚８が架設されている。陳列室２の内壁を構成する両側面の前部及び後部には、上下に渡って棚支柱（図示省略）が設けられ、この棚支柱に複数形成した係合孔に対して棚８が着脱自在に架設される。
台脚アングル４の前後面及び側面は、化粧パネルで被覆され、これにより、陳列室２の下方に機械室９が形成される。
【００２３】
機械室９には、冷却装置を構成する蒸発器、冷気循環用送風機、圧縮機、凝縮器、凝縮器用送風機などが収容され、冷気循環用送風機による冷気の循環は、陳列室２の底壁に形成した冷気吸込口及び冷気吐出口を介して行われる。
また、機械室９内には、４隅にキャスター１０を取り付けた取付台１１が収容されており、この取付台１１に、冷却装置を構成する圧縮機などの部品が配設される。
【００２４】
図２は、扉６を閉じた状態での陳列室２の水平面上での断面図であって、陳列室２の前面側を示す。尚、図２では、扉６を構成するフレームの図示を省略してある。
陳列室２を画成する箱体３は、４本の支柱フレーム１２と、ガラス板５を備えた扉６と、陳列室２の両側面及び背面を画成するガラス板１３と、天板１７と、図示省略した底板とからなる。
【００２５】
支柱フレーム１２は、図３に示すように、陳列室２を画成する２面のガラス板１３を嵌め込むため２本の溝１４，１４（凹部）と、棚８を陳列室２内に架設するための棚支柱部１５とを一体的に備えた樹脂成型部品である。係る支柱フレーム１２の向きを変え又上下を反転させることで、共通の成型部品である支柱フレーム１２を用いて、箱体３を構成する４本の支柱フレームを構成できるようにしてある。
ここで、背面側の左右の支柱フレーム１２間、左側面側の左右の支柱フレーム１２間、右側面側の左右の支柱フレーム１２間には、それぞれにガラス板１３が嵌め込まれるが、前面側は扉６で開閉される開口部とするため、前面側の左右の支柱フレーム１２間にはガラス板１３を嵌め込まない。
【００２６】
そして、本実施形態では、前面側の左右の支柱フレーム１２のガラス板１３を嵌め込まない溝１４それぞれに、図３，図４に示すように、棒状の照明モジュール１６（光源）を、陳列室２の上下に亘って挿置してあり、この照明モジュール１６によって棚８に載置したペットボトルなどの商品７を照明する。
図５に示すように、共通部品である支柱フレーム１２の向きを変えまた上下を反転させることで、右前、左前、右後、左後の４本の支柱を構成する。支柱フレーム１２には、陳列室２を画成する２面のガラス板１３を嵌め込むため２本の溝１４，１４（凹部）が形成されるが、この溝１４の両開口端縁のうち陳列室２の外側となる端縁に、内側に折り曲がったリップ状部を形成し、このリップ状部の先端と、陳列室２の内側となる開口端縁との間の狭窄部に、ガラス板１３を挟み込んで保持するようにしてある。
そして、照明モジュール１６を挿置する溝として、右前及び左前の支柱フレーム１２のガラス板１３が嵌め込まれない溝１４を用いる。
【００２７】
ここで、照明モジュール１６の幅は溝１４の底部の幅よりも狭いが、リップ状部で狭められる狭窄部の幅よりも大きいため、右前及び左前の支柱フレーム１２のガラス板１３が嵌め込まれない溝１４のリップ状部１４ａをカットする後加工を施し、図６に示すように、リップ状部１４ａをカットしたことで開口端が広がった溝１４に照明モジュール１６を挿置し、固定してある。
照明モジュール１６は、図７に示すように、ＬＥＤ（Light Emitting Diode：発光ダイオード）１６ａ及びレンズ１６ｂからなるＬＥＤランプ（光源）を、長手方向に一定の間隔（例えば、１０〜１５mm程度）で点在するように配置して一体化したものである。
【００２８】
ＬＥＤ１６ａは、例えば、０．１Ｗ〜０．５Ｗ程度の消費電力であって、最大光度の１／２の範囲の配光角度（１／２ビーム角）が１２０度程度のものを用いる。
また、レンズ１６ｂは、支柱フレーム１２（照明モジュール１６）の長手方向に直交する平面におけるＬＥＤ１６ａの１／２ビーム角を５０度程度にまで絞るものであり、このレンズ１６ｂによる配光角度の絞りによって、光軸中心付近の光度を強くしている。
【００２９】
レンズ１６ｂによる配光角度の絞りは、棚８の前端に並ぶ商品７のうちの最も近い商品７に直接光を照射しつつ、棚８の前端に並ぶ商品７のうちの最も遠い商品７にも充分な直接光を照射できるように適宜設定すべき値であり、１／２ビーム角を５０度に限定するものではない。
尚、レンズ１６ｂから出射時において、光軸中心に対して略対称に光が放射されるようにしてある。
【００３０】
また、照明モジュール１６は、幅Ｗ＝１５mm程度、高さＨ＝１３．５mm程度のものであり、長さは、陳列室２の高さに合わせてある。
そして、溝１４に照明モジュール１６を挿置したときに、溝１４の開口縁からの照明モジュール１６の飛び出し高さが例えば１mm以下になるように、照明モジュール１６の高さを設定し、照明モジュール１６によって陳列室２の開口部の面積が狭められることがないようにしてある。
【００３１】
溝１４の開口縁からの照明モジュール１６の飛び出し高さが高くなると、棚８の左右端に載せた商品７の一部が照明モジュール１６の陰に隠れることによって商品７の視認性が低下したり、また、商品７の出し入れの際に照明モジュール１６と商品とが接触したりする可能性がある。これに対し、溝１４の開口縁から大きく飛び出さないように、溝１４内に照明モジュール１６を挿置できれば、照明モジュール１６によって商品７の視認性が低下すること、及び、商品７の出し入れの際に照明モジュール１６と商品とが接触することを抑制できる。
また、溝１４に挿置した照明モジュール１６の光軸中心は、相互に、対向する照明モジュール１６に向けられる。
【００３２】
即ち、前面側の左右の支柱フレーム１２のガラス板１３を嵌め込まない２本の溝１４、換言すれば、陳列室２の開口部の左右端に位置し照明モジュール１６を挿置する２本の溝１４は、本体前面を画成する透明板である扉６のガラス板５と棚８の前端に並ぶ商品列との間の空間において、陳列室２の開口面に平行な平面上で対向し、係る溝１４に対して光軸中心が溝１４の開口方向に一致するように照明モジュール１６を挿置すれば、照明モジュール１６の光軸中心は、相互に、対向する照明モジュール１６に向けられることになる。
【００３３】
図８（Ａ）は、扉６を開いた状態のショーケース１を示し、図８（Ｂ）は、扉６を閉じた状態のショーケース１を示す。この図８に示すように、扉６を閉じた状態で、扉６の左右のフレーム６ａ，６ａが、照明モジュール１６の先端（レンズ１６ｂを含むＬＥＤ１６ａの先端）よりも陳列室２の開口部の中央側に張り出し、照明モジュール１６（ＬＥＤ１６ａ）が、扉６の左右のフレーム６ａ，６ａの裏側に配置されるようにしてある。
これにより、ショーケース１を正面から見たときに、照明モジュール１６（ＬＥＤ１６ａ）が扉６の左右のフレーム６ａ，６ａの裏側に隠れ、正面からは直接見えることがなく、顧客の視野に照明モジュール１６（ＬＥＤ１６ａ）からの光が直接入って眩しさを感じ難いようにしてある。
【００３４】
上記照明モジュール１６（ＬＥＤ１６ａ）を点灯すると、図９に示すように、扉６を閉じた状態において、照明モジュール１６（ＬＥＤ１６ａ）からの光は、棚８の前端に並ぶ商品７に直接照射されると共に、扉６を構成するガラス板５にも照射されることになり、ガラス板５で反射した光は棚８の前端に並ぶ商品７に照射される。
即ち、棚８の前端に並ぶ商品７は、照明モジュール１６（ＬＥＤ１６ａ）からの直接光で照明されると共に、ガラス板５からの反射光によっても照明される。
【００３５】
照明モジュール１６（ＬＥＤ１６ａ）からの直接光のみで棚８の前端に並ぶ商品７を照明する場合、照明モジュール１６（ＬＥＤ１６ａ）から見て陰となる商品７の側面側などには光が届かず、商品７に明瞭な陰影が出てしまうが、ガラス板５からの反射光は、照明モジュール１６（ＬＥＤ１６ａ）からの直接光とは異なる角度で商品７に照射されるため、照明モジュール１６（ＬＥＤ１６ａ）から見て陰となる商品７の側面側などにも光を照射させることができ、商品７の陰影を軽減できる。
【００３６】
また、ＬＥＤ１６ａの配光角度を、レンズ１６ｂによって絞るので、配光中心近傍（光軸中心近傍）での光度が大きくなり、配光中心は、棚８の前端に並ぶ商品７のうちの遠い側に向けられるので、照明モジュール１６（ＬＥＤ１６ａ）から遠い商品７に直接光を多く照射させることができ、更に、扉６を構成するガラス板５に照射される光のうち、照明モジュール１６から遠い位置に照射される光は、ガラス板５に対する入射角度が大きくなって高い反射率を示すことになるから、照明モジュール１６（ＬＥＤ１６ａ）から遠い商品７の照度を高めることができる。
【００３７】
更に、上記の直接光による照明と反射光による照明とを、商品列を挟んで左右端に配置される一対の照明モジュール１６（ＬＥＤ１６ａ）で行うから、一方の照明モジュール１６から遠い位置の商品７の照度を、他方の照明モジュール１６からの光（直接光及び反射光）で補うことができ、棚８の前端に並ぶ商品７を平均的に照明でき、棚８の前端に並ぶ商品７毎の照度（輝度）ばらつきを抑制できる。
上記にように、上記実施形態のショーケース１では、棚８の前端に並ぶ商品７毎の照度（輝度）ばらつき及び個々の商品７における陰影を抑制でき、棚８の前端に並ぶ商品７が全体的に明るく見える。
【００３８】
棚８の前端に並ぶ商品７毎の照度（輝度）にばらつきがあったり、個々の商品７に陰影があったりすると、平均照度が高くても全体的に暗い印象を顧客に与えることになってしまうが、商品７毎の照度（輝度）ばらつき及び個々の商品７における陰影を抑制できれば、たとえ平均照度が同程度であっても全体的に明るい印象を顧客に与えることができ、購買意欲を喚起できる。
尚、扉６を開くと、棚８の前端に並ぶ商品７は、扉６を構成するガラス板５からの反射光で照明されず、専ら照明モジュール１６（ＬＥＤ１６ａ）からの直接光で照明されることになり、扉６を閉じている場合に比べて商品７毎の照度（輝度）ばらつき及び個々の商品７における陰影が大きくなってしまう。
しかし、扉６を開いた時の陰影による暗さが目立つ分、扉６を閉めた時の反射光及び直接光による照明効果が一層際立ち、また、顧客による購買意欲は、扉６を閉じた状態で決まり、顧客が扉６を開くのは購入する商品を決定した後であるので、扉６を閉じた状態で全体的に明るい印象を与えることができればよい。
【００３９】
図１０は、照明モジュール１６からの直接光のみで、棚８に並ぶ商品７を照明することで、棚８の前端に並ぶ商品７毎の照度を揃えるための要求配光特性を示す。
即ち、理論的には、棚８の前端の中央に位置する商品７には、左右の照明モジュール１６から略同等の光が届き、その総和で照度が決定されることになるが、中央位置からずれた位置に配される商品７については、左右の照明モジュール１６の一方から光量が減り逆に他方からの光量が増えることになり、係る相殺によって中央に位置する商品７と同じ照度になるようにすればよい。
【００４０】
しかし、このような理想的な配光を実現することは困難であり、また、直接光のみによる照明の場合、商品７が凹凸のない例えば箱状のものであれば、均一に明るくできるが、陳列する商品７が例えばペットボトルなどの凹凸があるものである場合、図１１に示すように、照明モジュール１６に近い側の凸が光を遮り、商品７に陰を発生させることになってしまう。
図１２は、照明モジュール１６からの光を、扉６のガラス板５に反射させ、直接光と共に反射光で商品７を照明する場合における反射光の特性を示す図であり、分かり易くするために、本体前面の左側に配置した照明モジュール１６からの光の反射特性のみを示す。
【００４１】
ガラス板５における光の反射率は、ガラス板５に対する光の入射角が大きくなるほど高くなり、入射角は、照明モジュール１６からより遠い位置でガラス板５に入射する光ほど大きくなるが、入射角と同じ反射角で光が反射することになるため、ガラス板５の左右方向における中央位置を越えるような遠い位置で反射した光は、商品７に照射されず照度アップに寄与しない。
しかし、反射光が商品７に照射されるガラス板５の反射領域内において、照明モジュール１６からの遠い程反射率が高くなるから、照明モジュール１６から遠い位置の商品７を効果的に照明でき、また、図１３に示すように、一方の照明モジュール１６からの直接光が届かない商品７の陰の部分に、他方の照明モジュール１６からの光がガラス板５で反射した反射光を照射することができ、商品７間に発生する陰影を軽減できる。
【００４２】
ところで、上記実施形態では、溝１４に挿置した照明モジュール１６の光軸中心を、相互に、対向する照明モジュール１６に向けるようにしたが、対向する照明モジュール１６に向く方向から棚８側に僅かに傾いた方向、例えば、棚８の前端に並ぶ商品７のうち最も遠い位置の商品７に向く方向に設定することができる。
前述のように、照明モジュール１６が放射する光のうち、照明モジュール１６から遠いガラス板５上に入射した光の反射光は、棚８に載せた商品７に照射されず無駄になってしまうので、照明モジュール１６の光軸中心を、対向する他方の照明モジュール１６から商品７（棚８）側に傾け、反射光が商品７に照射されないガラス板５上の領域に照射される光度を減らし、相対的に、遠い位置の商品７に対する直接光の光度を増やして、効果的に照明できるようにする。
【００４３】
但し、照明モジュール１６の光軸中心を、溝１４の開口方向に対して傾けるためには、左右一対の照明モジュール１６を別部品として形成する必要が生じたり、また、溝１４の開口端縁からの照明モジュール１６の飛び出しが大きくなったりことがあるのに対し、照明モジュール１６の光軸中心を、相互に、対向する照明モジュール１６に向けるようにすれば、左右一対の照明モジュール１６を共通部品とすることができ、また、溝１４の開口端縁からの照明モジュール１６の飛び出しを最小にできる。
【００４４】
また、相互に対向配置される一対の照明モジュール１６を、本体前面を構成するフレームである扉６のフレームの裏側に配置することができる。この場合、扉６を開いたときに、照明モジュール１６による直接光が商品７に充分に届かなくなり、棚８の前端に並ぶ商品７の照度が低くなるが、前述のように、扉６を開いた時の陰影による暗さが目立つ分、扉６を閉めた時の反射光及び直接光による照明効果が一層際立つと共に、顧客の購買意欲は扉６を閉じた状態で決定され、また、顧客が扉６を閉じた状態では、支柱フレーム１２の溝１４に照明モジュール１６を挿置した場合と同等の照明を行えるので、購買意欲を充分に喚起でき、更に、照明モジュール１６と商品７とが重なることによる視認性の低下や、商品７の取り出し時に商品７が照明モジュール１６に接触することを抑制できる。
【００４５】
また、相互に対向配置される一対の照明モジュール１６を左右端に配置する代わりに上下端に配置することができ、また、左右端に１対の照明モジュール１６を配すると共に、上下端にも１対の照明モジュール１６を配することができ、更に、左右端の一方側にのみ、又は、上下端の一方側にのみ照明モジュール１６を配することもできる。また、本体前面の中央部に、商品を直接光及びガラス板５（透明板）からの反射光で照明するＬＥＤを配することもできる。
また、本実施形態のショーケース１は、陳列室２を開閉する扉６を本体前側に設けてあるが、後側にも開閉扉を備え、この後側の扉から商品の補充などを行うショーケースにも、上記実施形態と同様の照明モジュール１６を適用できることは明らかである。
【００４６】
更に、本実施形態では、顧客側である前面が扉６で開閉されるショーケースとしたが、前面側がガラス板（透明板）で閉塞され、後側に開閉扉を設けたショーケースにも、本願の照明技術、即ち、本体前面を構成するフレームの陳列室内で対向する部分それぞれに、フレームの長手方向に沿って複数のＬＥＤを点在配置し、このＬＥＤによる直接光及び前面を閉塞するガラス板からの反射光で、棚に陳列した商品を照明する構成を適用でき、上記実施形態と同様な効果が得られる。
【００４７】
また、上記実施形態では、陳列室２の周囲を画成する４面を全てガラス板（透明板）で構成したが、前面以外の少なくとも１面を、例えば断熱材上に化粧パネルを貼り付けた不透明な板で構成することができる。
また、上記実施形態では、透明板としてガラス板を用いたが、例えば透明な樹脂板を透明板として用いることができ、透明板をガラス板に限定するものではない。
【符号の説明】
【００４８】
１…ショーケース、２…陳列室、３…箱体、４…台脚アングル、５…ガラス板、６…扉、７…商品、８…棚、９…機械室、１０…キャスター、１１…取付台、１２…支柱フレーム、１３…ガラス板、１４…溝、１５…棚支柱部、１６…照明モジュール、１６ａ…ＬＥＤ、１６ｂ…レンズ、１７…天板
【図１】
0005517890.tif 000002
【図２】
0005517890.tif 000003
【図３】
0005517890.tif 000004
【図４】
0005517890.tif 000005
【図７】
0005517890.tif 000006
【図８】
0005517890.tif 000007
【図９】
0005517890.tif 000008
【図５】
0005517890.tif 000009
【図６】
0005517890.tif 000010
【図１０】
0005517890.tif 000011
【図１１】
0005517890.tif 000012
【図１２】
0005517890.tif 000013
【図１３】
0005517890.tif 000014